(57)【要約】【課題】圧縮機の温度を適切に制御しつつ過冷却も促進できる冷媒回路システムおよび制御方法の提供。【解決手段】冷媒回路システム１は、高圧冷媒と低圧冷媒とを熱交換させる気液熱交換器２０と、高圧冷媒を減圧部１５１よりも上流へと迂回させるバイパス経路２１と、流量を調整可能なバイパス弁２２と、バイパス弁２２に流量に応じた指令を与える制御部２５とを備える。制御部２５は、吐出冷媒の検知された温度に対応するエンタルピである吐出エンタルピがｈ１、気液熱交換器２０の入口と出口との検知された冷媒温度に対応するエンタルピの差であるエンタルピ差がΔｈ、圧縮機１４に許容される目標温度Ｔｖに対応する目標吐出エンタルピがｈｖ、ｈ１およびΔｈに基づいて目標吐出エンタルピｈｖに適合する適合エンタルピ差がΔｈ´であるとして、バイパス弁２２に、現在の（Δｈ´／Δｈ）倍の流量に対応する指令を与える。【選択図】図１
2018096621.tif 000002
【特許請求の範囲】
【請求項１】
圧縮機、凝縮器、減圧部、および蒸発器を備える冷媒回路システムであって、
前記冷媒回路システムは、さらに、
前記凝縮器を通過した高圧冷媒と、前記蒸発器を通過した低圧冷媒とを熱交換させる気液熱交換器と、
前記凝縮器から前記気液熱交換器へと向かう前記高圧冷媒の少なくとも一部を受け入れて前記減圧部よりも上流へと迂回させるバイパス経路と、
前記バイパス経路へと流入する前記高圧冷媒の流量を調整可能な流量調整部と、
前記流量調整部に流量に応じた指令を与える制御部と、を備え、
前記制御部は、
前記圧縮機から吐出される吐出冷媒の検知された温度に対応するエンタルピである吐出エンタルピがｈ１、
前記気液熱交換器の入口の冷媒の検知された温度に対応するエンタルピと前記気液熱交換器の出口の冷媒の検知された温度に対応するエンタルピとの差であるエンタルピ差がΔｈ、
前記圧縮機に許容される目標温度Ｔｖに対応する目標吐出エンタルピがｈｖ、
ｈ１およびΔｈに基づいて、前記目標吐出エンタルピｈｖに適合する前記気液熱交換器の入口と出口とのエンタルピの差である適合エンタルピ差がΔｈ´であるとして、
前記流量調整部に、現在の（Δｈ´／Δｈ）倍の流量に対応する指令を与える、
ことを特徴とする冷媒回路システム。
【請求項２】
前記目標温度Ｔｖを含み、上限温度および下限温度を有する目標温度範囲が設定されており、
前記制御部は、前記下限温度に対応する下限吐出エンタルピから前記上限温度に対応する上限吐出エンタルピまでに前記目標吐出エンタルピｈｖを収めることが可能な前記適合エンタルピ差Δｈ´を取得する、
請求項１に記載の冷媒回路システム。
【請求項３】
冷媒の流れの向きを変更することで冷房運転と暖房運転とに切り替え可能な切替部と、
前記冷房運転時に前記凝縮器として機能し、前記暖房運転時に前記蒸発器として機能する室外熱交換器と、
前記冷房運転時に前記蒸発器として機能し、前記暖房運転時に前記凝縮器として機能する室内熱交換器と、
前記冷房運転時に前記気液熱交換器と前記蒸発器との間に位置し、前記減圧部として機能する冷房時減圧部と、
前記暖房運転時に前記気液熱交換器と前記蒸発器との間に位置し、前記減圧部として機能する暖房時減圧部と、を備えた空気調和機である、
請求項１または２に記載の冷媒回路システム。
【請求項４】
圧縮機、凝縮器、減圧部、および蒸発器を備える冷媒回路システムの制御方法であって、
前記冷媒回路システムは、さらに、
前記凝縮器を通過した高圧冷媒と、前記蒸発器を通過した低圧冷媒とを熱交換させる気液熱交換器と、
前記凝縮器から前記気液熱交換器へと向かう前記高圧冷媒の少なくとも一部を受け入れて前記減圧部よりも上流へと迂回させるバイパス経路と、
前記バイパス経路へと流入する前記高圧冷媒の流量を調整可能な流量調整部と、を備えており、
前記圧縮機から吐出される吐出冷媒の温度を検知するステップと、
前記気液熱交換器の入口の冷媒の温度を検知するステップ、および前記気液熱交換器の出口の冷媒の温度を検知するステップと、
前記吐出冷媒の検知された温度に対応するエンタルピである吐出エンタルピがｈ１、前記入口の冷媒の検知された温度に対応するエンタルピと前記出口の冷媒の検知された温度に対応するエンタルピとの差であるエンタルピ差がΔｈ、前記圧縮機に許容される目標温度Ｔｖに対応する目標吐出エンタルピがｈｖであるとして、ｈ１およびΔｈに基づいて、前記目標吐出エンタルピｈｖに適合する前記気液熱交換器の入口と出口とのエンタルピの差である適合エンタルピ差Δｈ´を取得するステップと、
前記流量調整部に、現在の（Δｈ´／Δｈ）倍の流量に対応する指令を与えるステップと、を備える、
ことを特徴とする冷媒回路システムの制御方法。
【請求項５】
前記目標温度Ｔｖを含み、上限温度および下限温度を有する目標温度範囲が設定されており、
Δｈ´を取得する前記ステップでは、
前記下限温度に対応する下限吐出エンタルピから前記上限温度に対応する上限吐出エンタルピまでに前記目標吐出エンタルピｈｖを収めることが可能な前記適合エンタルピ差Δｈ´を取得する、
請求項４に記載の冷媒回路システムの制御方法。
【発明の詳細な説明】
【技術分野】
【０００１】
本発明は、気液熱交換器を備えた冷媒回路システムおよび冷媒回路システムの制御方法に関する。
【背景技術】
【０００２】
空気調和機等の冷媒回路システムの性能を上げるためには、冷媒の熱をいかに放熱させ、液化できるかが重要であり、その役割を凝縮器が担う。圧縮機により圧縮された高温高圧の冷媒ガスは、凝縮器にて空気との熱交換により、熱を放出してエンタルピを下げる。ここで、過冷却を促進してエンタルピを下げるほど、性能を高められるが、技術の進歩により、冷媒ガスの温度を空気温度に近い温度にまで放熱させている現状においては、さらなる過冷却の促進が困難になってきている。
【０００３】
そこで、凝縮器により液化された高圧冷媒と、蒸発器を通過した後の低圧冷媒ガスとの間で熱交換する気液熱交換器（内部熱交換器、インタークーラとも）を使用すると、高圧冷媒をさらに液化してエンタルピを下げることができる。
しかし、気液熱交換器における高圧冷媒から低圧冷媒への放熱により、圧縮機に吸入される低圧冷媒の温度が高くなるので、圧縮機の温度が上昇する。圧縮機の温度を許容される温度に抑えるため、蒸発器を通過した低圧冷媒の一部だけを気液熱交換器に流し、残りをバイパスさせている例がある（特許文献１）。つまり、バイパスにより、高圧冷媒から放熱される低圧冷媒の流量を調整している。特許文献１では、蒸発器の出口側に、バイパス経路とバイパス用の弁が設けられおり、バイパス経路から圧縮機へと低圧冷媒を吸入させている。
【先行技術文献】
【特許文献】
【０００４】
【特許文献１】特開２０００−３４６４６６号公報
【発明の概要】
【発明が解決しようとする課題】
【０００５】
特許文献１のように、蒸発器を通過して気液熱交換器を流れる低圧冷媒の流量を調整しようとすると、その冷媒が低圧のガスであるために流量調整が難しい。しかも、バイパスさせた冷媒を圧縮機へと吸入させているため、バイパスさせる冷媒の流量を変化させると、その影響が圧縮機に直接的に作用し、圧縮機の温度が目標の温度に対してオーバーシュートしたりハンチングが生じ易い。
【０００６】
以上より、本発明は、圧縮機の温度を適切に制御しつつ、過冷却も促進できる冷媒回路システムおよび冷媒回路システムの制御方法を提供することを目的とする。
【課題を解決するための手段】
【０００７】
本発明は、圧縮機、凝縮器、減圧部、および蒸発器を備える冷媒回路システムであって、冷媒回路システムは、さらに、凝縮器を通過した高圧冷媒と、蒸発器を通過した低圧冷媒とを熱交換させる気液熱交換器と、凝縮器から気液熱交換器へと向かう高圧冷媒の少なくとも一部を受け入れて減圧部よりも上流へと迂回させるバイパス経路と、バイパス経路へと流入する高圧冷媒の流量を調整可能な流量調整部と、流量調整部に流量に応じた指令を与える制御部と、を備え、制御部は、圧縮機から吐出される吐出冷媒の検知された温度に対応するエンタルピである吐出エンタルピがｈ１、気液熱交換器の入口の冷媒の検知された温度に対応するエンタルピと気液熱交換器の出口の冷媒の検知された温度に対応するエンタルピとの差であるエンタルピ差がΔｈ、圧縮機に許容される目標温度Ｔｖに対応する目標吐出エンタルピがｈｖ、ｈ１およびΔｈに基づいて、目標吐出エンタルピｈｖに適合する気液熱交換器の入口と出口とのエンタルピの差である適合エンタルピ差がΔｈ´であるとして、流量調整部に、Δｈ´とΔｈとの比に対応する指令、つまり、現在の（Δｈ´／Δｈ）倍の流量に対応する指令を与えることを特徴とする。
【０００８】
本発明の冷媒回路システムでは、目標温度Ｔｖを含み、上限温度および下限温度を有する目標温度範囲が設定されており、制御部は、下限温度に対応する下限吐出エンタルピから上限温度に対応する上限吐出エンタルピまでに目標吐出エンタルピｈｖを収めることが可能な適合エンタルピ差Δｈ´を取得することが好ましい。
【０００９】
本発明の冷媒回路システムは、冷媒の流れの向きを変更することで冷房運転と暖房運転とに切り替え可能な切替部と、冷房運転時に凝縮器として機能し、暖房運転時に蒸発器として機能する室外熱交換器と、冷房運転時に蒸発器として機能し、暖房運転時に凝縮器として機能する室内熱交換器と、冷房運転時に気液熱交換器と蒸発器との間に位置し、減圧部として機能する冷房時減圧部と、暖房運転時に気液熱交換器と蒸発器との間に位置し、減圧部として機能する暖房時減圧部と、を備えた空気調和機であることが好ましい。
【００１０】
また、本発明は、圧縮機、凝縮器、減圧部、および蒸発器を備える冷媒回路システムの制御方法であって、冷媒回路システムは、さらに、凝縮器を通過した高圧冷媒と、蒸発器を通過した低圧冷媒とを熱交換させる気液熱交換器と、凝縮器から気液熱交換器へと向かう高圧冷媒の少なくとも一部を受け入れて減圧部よりも上流へと迂回させるバイパス経路と、バイパス経路へと流入する高圧冷媒の流量を調整可能な流量調整部と、を備えており、圧縮機から吐出される吐出冷媒の温度を検知するステップと、気液熱交換器の入口の冷媒の温度を検知するステップ、および気液熱交換器の出口の冷媒の温度を検知するステップと、吐出冷媒の検知された温度に対応するエンタルピである吐出エンタルピがｈ１、入口の冷媒の検知された温度に対応するエンタルピと出口の冷媒の検知された温度に対応するエンタルピとの差であるエンタルピ差がΔｈ、圧縮機に許容される目標温度Ｔｖに対応する目標吐出エンタルピがｈｖであるとして、ｈ１およびΔｈに基づいて、目標吐出エンタルピｈｖに適合する気液熱交換器の入口と出口とのエンタルピの差である適合エンタルピ差Δｈ´を取得するステップと、流量調整部に、現在の（Δｈ´／Δｈ）倍の流量に対応する指令を与えるステップと、を備えることを特徴とする。
【００１１】
本発明の冷媒回路システムの制御方法では、目標温度Ｔｖを含み、上限温度および下限温度を有する目標温度範囲が設定されており、Δｈ´を取得するステップでは、下限温度に対応する下限吐出エンタルピから上限温度に対応する上限吐出エンタルピまでに目標吐出エンタルピｈｖを収めることが可能な適合エンタルピ差Δｈ´を取得することが好ましい。
【発明の効果】
【００１２】
気液熱交換器による過冷却の効果に相当するエンタルピ差Δｈと、吐出冷媒の温度に対応する吐出エンタルピｈ１との関係から、吐出冷媒の温度が目標温度Ｔｖに収まるように導いた（Δｈ´／Δｈ）の分だけ流量調整部によりバイパスさせる流量を変更する制御を行うことにより、吐出冷媒の温度を抑えつつ、過冷却を促進して性能向上を図ることができる。
本発明によれば、気液熱交換器による熱交換量の効果の大きさの現在と将来の比（Δｈ´／Δｈ）に基づいて、気液熱交換器を流れる冷媒とバイパス経路を流れる冷媒との流量の比を変更することにより、圧縮機の適度な応答を得て、吐出冷媒の温度を目標温度Ｔｖに早期に安定させることができる。
【図面の簡単な説明】
【００１３】
【図１】本発明の実施形態に係る冷媒回路システムの構成を示す図である。
【図２】気液熱交換器による過冷却の作用を示すｐ−ｈ線図である。
【図３】バイパスさせる高圧冷媒の流量制御量を得るための制御のフローを示す図である。
【図４】吐出冷媒の温度に対する制御のイメージを表す図である。
【図５】本発明の変形例に係る冷媒回路システムの構成を示す図である。
【発明を実施するための形態】
【００１４】
以下、添付図面を参照しながら、本発明の実施形態について説明する。
〔第１実施形態〕
図１に示す冷媒回路システム１は、冷媒が循環する冷媒回路を備えている。冷媒回路システム１は、冷凍サイクルを利用する空気調和機であり、室外の空気と冷媒とを熱交換させる室外熱交換器１１を有する図示しない室外ユニットと、室内の空気と冷媒とを熱交換させる室内熱交換器１２を有する図示しない室内ユニットとを備えている。
【００１５】
冷媒回路システム１は、循環する冷媒の流れの向きを切り替え可能な四方弁１３を備えており、四方弁１３を操作することで冷房運転と暖房運転とに切り替え可能に構成されている。図１には、冷房時の冷媒の流れを実線の矢印で示している。暖房時には、四方弁１３に示したＡの経路が閉じる代わりに、破線で示したＢの経路が開くことで、冷房時とは逆の向きに冷媒が流れる（図１の破線の矢印）。
【００１６】
室外熱交換器１１は、冷房運転時には凝縮器として機能し、暖房運転時には蒸発器として機能する。室内熱交換器１２は、冷房運転時には蒸発器として機能し、暖房運転時には凝縮器として機能する。室外熱交換器１１に送風するファン１１Ｆと、室内熱交換器１２に向けて送風するファン１２Ｆが、冷媒回路システム１に備わっている。
図１に示した室外熱交換器１１および室内熱交換器１２には、冷房運転時の機能として、それぞれ、凝縮器、蒸発器と付記している。
以下、冷房時を基準として、室外熱交換器１１のことを凝縮器１１と称し、室内熱交換器１２のことを蒸発器１２と称する。
【００１７】
冷媒回路システム１は、基本的な要素として、圧縮機１４と、凝縮器１１と、減圧部１５（１５１，１５２）と、蒸発器１２とを備えている。減圧部１５として、冷房運転用の減圧部１５１と、暖房運転用の減圧部１５２との２つが用意されている。冷房運転用の減圧部１５１は暖房運転時には機能しない。同様に、暖房運転用の減圧部１５２は冷房運転時には機能しない。
【００１８】
冷媒回路システム１は、上記の基本的な要素に加えて、蒸発器１２を通過した低圧冷媒と、凝縮器１１を通過した高圧冷媒とを熱交換させる気液熱交換器２０と、気液熱交換器２０へと向かう高圧冷媒の一部を減圧部１５１よりも上流へと迂回させるバイパス経路２１と、バイパス経路２１へと流入する高圧冷媒の流量を調整可能なバイパス弁２２と、バイパス弁２２に開度を与える制御部２５とを備えている。
【００１９】
気液熱交換器２０は、高圧冷媒が流れる高圧経路２０１と、低圧冷媒が流れる低圧経路２０２とを備え、高圧経路２０１を流れる高圧冷媒と低圧経路２０２を流れる低圧冷媒とが熱交換可能に構成されている。
バイパス経路２１は、高圧経路２０１よりも上流から高圧冷媒の一部を受け入れ、高圧経路２０１よりも下流でかつ減圧部１５１よりも上流へと迂回させる。
【００２０】
凝縮器１１を通過して気液熱交換器２０内へと流入した高圧冷媒は、図２に１００で示すように、低圧冷媒へと放熱されることで過冷却され、エンタルピが下がる。その後、減圧部１５１により減圧され、蒸発器１２へと流れる。
気液熱交換器２０により高圧冷媒が過冷却される一方で、図２に１０１で示すように、蒸発器１２を経た低温低圧の冷媒が高圧冷媒から吸熱して過熱される。そうすると、圧縮機１４へと吸入される冷媒の温度が上昇することとなる。
【００２１】
圧縮機１４の摺動部に用いられる潤滑油の性能や、圧縮機１４に電動機が内蔵されている場合は電動機の性能も考慮して、圧縮機１４に許容される所定の目標温度Ｔｖを定めることができる。
本実施形態では、圧縮機１４により圧縮された冷媒を圧縮機１４の外部へと吐出する吐出管を流れている冷媒の温度である目標温度Ｔｖを定めている。この目標温度Ｔｖを含み、上限温度Ｘおよび下限温度Ｘ−αを含む目標温度範囲が設定されている。
【００２２】
本実施形態は、気液熱交換器２０により、可能な限り過冷却の効果を得つつ、圧縮機１４の温度を下限温度Ｘ−αから上限温度Ｘまでに収めるため、バイパス経路２１およびバイパス弁２２を使用し、バイパス経路２１を流れる高圧冷媒の流量を調整する。制御部２５からバイパス弁２２へと流量に応じた開度指令を与えると、開度指令に応じてバイパス弁２２の開度量が変更されることで、バイパス経路２１を流れる冷媒の流量が調整される。
凝縮器１１を経た高圧冷媒は、液相が優位であるため、冷媒ガスの流量を調整する場合に比べて容易にかつ確実に流量を調整できる。
【００２３】
バイパス経路２１へと流入する冷媒流量を調整するため、高圧冷媒の圧力および温度と、気液熱交換器２０の入口の冷媒温度と、気液熱交換器２０の出口の冷媒温度とを用いてそれぞれ導いたエンタルピについて、制御部２５は演算を行う。
【００２４】
エンタルピを導くため、本実施形態の冷媒回路システム１には、凝縮器温度センサ１１Ａと、吐出温度センサ１４Ａと、入口温度センサ２０Ａと、出口温度センサ２０Ｂとが備えられている。
【００２５】
凝縮器温度センサ１１Ａは、凝縮器１１を流れる気液二相の冷媒の温度を検知する。この凝縮器温度センサ１１Ａにより検知された温度を飽和蒸気の温度とみなし、それに対応する飽和蒸気圧として、高圧冷媒の圧力を得ることができる。
室外ユニットに、高圧冷媒の圧力を示す圧力計が備えられている場合は、その圧力計により計測された値を高圧冷媒の圧力として用いることができる。
なお、冷媒回路システム１には、暖房運転時における制御のため、暖房運転時に凝縮器として機能する室内熱交換器１２を流れる気液二相の冷媒の温度を検知する温度センサ１２Ａも備えられている。暖房運転時には、この温度センサ１２Ａにより検知された温度を用いて、高圧冷媒の圧力を得ることができる。
【００２６】
吐出温度センサ１４Ａは、圧縮機１４の吐出管を流れる冷媒（以下、吐出冷媒）の温度を検知する。
入口温度センサ２０Ａは、気液熱交換器２０の入口に流入する高圧冷媒の温度を検知する。
出口温度センサ２０Ｂは、気液熱交換器２０の出口から流出する高圧冷媒の温度を検知する。
【００２７】
制御部２５による処理の一例を説明する。
制御部２５は、凝縮器温度センサ１１Ａによる計測値に基づく、あるいは圧力計により得られた高圧冷媒の圧力と、吐出温度センサ１４Ａにより検知された吐出冷媒の温度Ｔｄとを用いて、吐出冷媒のエンタルピであるｈ１を取得する。
また、入口温度センサ２０Ａにより検知された温度と高圧冷媒の圧力を用いて、気液熱交換器２０の入口における冷媒のエンタルピｈ２を取得し、さらに、出口温度センサ２０Ｂにより検知された温度と高圧冷媒の圧力を用いて、気液熱交換器２０の出口における冷媒のエンタルピｈ３を取得する。
こうして取得した入口のエンタルピｈ２と出口のエンタルピｈ３を用いて、ｈ２−ｈ３の演算より、エンタルピ差Δｈを取得する。これは、気液熱交換器２０による高圧冷媒の過冷却の効果に相当し、換言すれば、低圧冷媒の過熱の効果に相当する。
【００２８】
バイパス経路２１へと高圧冷媒を迂回させると、迂回させた流量の比の分だけ、気液熱交換器２０による過冷却および過熱の効果が減少するので、気液熱交換器２０において高圧冷媒から放熱されることに伴う低圧冷媒の温度上昇が抑制される。すると、圧縮機１４へと吸入される低圧冷媒の温度が低下するので、圧縮機１４の内部の温度を抑えることが可能となる。
【００２９】
検知されたエンタルピ差Δｈは、現在、気液熱交換器２０が低圧冷媒の温度を上昇させている効果を示している。そうすると、気液熱交換器２０を高圧冷媒が流れない場合に検知されるであろう吐出冷媒の温度と高圧冷媒の圧力に対応する吐出エンタルピをｈ１´と置くと、現在の吐出エンタルピｈ１は、下記の式（１）で表せる。
ｈ１＝ｈ１´＋Δｈ    ・・・（１）
なお、気液熱交換器２０を高圧冷媒が流れない場合というのは、本実施形態では、バイパス弁２２の開度を全開にした場合に相当する。
【００３０】
高圧冷媒の圧力が安定していると、エンタルピ差ΔｈがΔｈ´へと変更されたならば、それに倣って吐出エンタルピｈ１が変化する。
したがって、圧縮機１４に許容される吐出冷媒の目標温度Ｔｖに対応する目標吐出エンタルピｈｖは、気液熱交換によるエンタルピ差をΔｈ´と置いて、下記の式（２）で表せる。
ｈｖ＝ｈ１´＋Δｈ´    ・・・（２）
【００３１】
上記の式（２）より、Δｈ´は、目標吐出エンタルピｈｖに適合する適合エンタルピ差である。制御部２５により、ｈｖ−ｈ１´を演算してΔｈ´を割り出すことができる。
このΔｈ´と、検知された温度に基づく現在のエンタルピ差Δｈとの比から、制御部２５は、バイパス経路２１を通じてバイパスさせる冷媒流量の制御量を得て、バイパス弁２２に開度として与える。
つまり、目標吐出エンタルピｈｖに適合する適合エンタルピ差Δｈ´を実現するため、現在の（Δｈ´／Δｈ）倍の流量に対応する開度指令をバイパス弁２２に与える。
【００３２】
後述するように、目標温度Ｔｖを含む所定温度範囲内に吐出冷媒の温度が収まるように、目標吐出エンタルピｈｖに幅を持たせ、そのエンタルピの上限から下限までに適合するようにΔｈ´を割り出すことが好ましい。
【００３３】
制御部２５による作用について、冷房運転時を例にとり説明したが、暖房運転時も同様である。
暖房運転時には、四方弁１３の切り替え操作により、圧縮機１４、凝縮器としての室内熱交換器１２、減圧部１５２、気液熱交換器２０、蒸発器としての室外熱交換器１１の順に冷媒が循環する。
気液熱交換器２０の入口と出口は冷房運転時とは逆になるため、気液熱交換器２０における熱交換によるエンタルピ差Δｈは、温度センサ２０Ｂによる検知温度に対応するエンタルピｈ３から、温度センサ２０Ａによる検知温度に対応するエンタルピｈ２を引いた、ｈ３−ｈ２に相当する。
エンタルピ差Δｈがｈ３−ｈ２に相当すること、そして、室内熱交換器１２の温度センサ１２Ａにより検知された凝縮器温度に対応する高圧冷媒の圧力を用いて吐出エンタルピｈ１を取得することを除いて、冷房運転時と同様の処理を行うことができる。
【００３４】
以下、図３を参照し、制御部２５により行われる制御の手順の例について説明する。以下では、（Δｈ´／Δｈ）のことをΔＧｒと称する。ΔＧｒは、気液熱交換器２０による熱交換量の増減倍率に相当する。
【００３５】
冷媒回路システム１の冷房運転あるいは暖房運転が行われる間に亘り、制御部２５は、図３に示す手順で演算し、算出したΔＧｒに応じてバイパス弁２２の開度を変更する。
圧縮機１４の温度の制約の下、可能な限り気液熱交換器２０に高圧冷媒を流して過冷却を促進させることが好ましい。本実施形態では、バイパス弁２２を全閉にした状態で運転を開始する。
まず、上述したように、凝縮器温度センサ１１Ａを使用しあるいは圧力計により得られた高圧冷媒の圧力と、吐出温度センサ１４Ａにより検知された吐出冷媒の温度Ｔｄとを用いて、吐出エンタルピｈ１を取得する（ステップＳ１）。
【００３６】
次に、温度センサ２０Ａ，２０Ｂによりそれぞれ検知される温度を用いて、気液熱交換器２０の入口の冷媒のエンタルピｈ２と、出口の冷媒のエンタルピｈ３とを取得し、気液熱交換によるエンタルピ差Δｈを算出する（ステップＳ２）。
【００３７】
次に、吐出冷媒の温度を目標温度Ｔｖに収めるために必要な気液熱交換器２０の熱交換量に相当するエンタルピ差Δｈ´を算出する（ステップＳ３）。
ここでは、閾値を使用して目標温度範囲を設定する。この目標温度範囲は、目標温度Ｔｖを含み、上限温度Ｘと、下限温度（Ｘ−α）とを有している。上限温度Ｘに対応する上限吐出エンタルピと、下限温度（Ｘ−α）に対応する下限吐出エンタルピとにより、目標吐出エンタルピｈｖを含むエンタルピ範囲も設定される。
【００３８】
制御部２５は、温度（Ｘ−α）に対応する下限エンタルピ以上、温度Ｘに対応する上限エンタルピ以下に目標吐出エンタルピｈｖが収まるように、気液熱交換器２０を高圧冷媒が流れない場合の吐出エンタルピｈ１´に加えることが許容されるΔｈ´を算出する。
【００３９】
Δｈ´を算出したならば、Δｈ´と、Δｈとの比（Δｈ´／Δｈ）を気液熱交換量の増減倍率ΔＧｒとして算出する（ステップＳ４）。
ΔＧｒが１よりも小さければ、吐出冷媒の温度を抑制するため、気液熱交換器２０を流れる高圧冷媒の流量を現在よりも減らす必要がある。逆に、ΔＧｒが１よりも大きければ、圧縮機１４の許容温度に対して吐出冷媒の温度が下回っているため、気液熱交換器２０を流れる高圧冷媒の流量を現在よりも増やし、高圧冷媒の液化を促進する余地がある。
【００４０】
したがって、算出されたΔＧｒに応じて、下記の手順によりバイパス弁２２の開度を変更することができる。
例えば、ΔＧｒが１よりも小さい場合は（ステップＳ５でＹ）、バイパス弁２２の開度が全開でない限りは（ステップＳ６でＮ）、気液熱交換器２０を流れる高圧冷媒の流量を減らすため、バイパス弁２２に開度を大きくする開度指令を与える（ステップＳ７）。すると、開度指令に基づいて、現在のΔＧｒ倍の開度量にバイパス弁２２が駆動される。例えば、単位時間あたりのパルス数が現在のΔＧｒ倍である駆動パルスによりバイパス弁２２が駆動される。
なお、現在バイパス弁２２が全閉されているため現在のパルス数が０であってもバイパス弁２２を開くことができるように、例えば、最小のパルス数を０．０１等と定めておく。
【００４１】
また、ΔＧｒが１よりも大きい場合は（ステップＳ８でＹ）、バイパス弁２２の開度が全閉でない限りは（ステップＳ９でＮ）、気液熱交換器２０を流れる高圧冷媒の流量を増やすため、バイパス弁２２に開度を小さくする開度指令を与える（ステップＳ１０）。
【００４２】
そして、ΔＧｒ＝１である場合は（ステップＳ１１）、気液熱交換器２０による熱交換量が目標温度Ｔｖに適合しているため、バイパス弁２２の開度を現在のまま維持する。
【００４３】
以上で説明した本実施形態によれば、気液熱交換器２０による過冷却の効果に相当するエンタルピ差Δｈと、吐出冷媒の温度Ｔｄに対応する吐出エンタルピｈ１との関係から、吐出冷媒の温度が目標温度Ｔｖに収まるように導いたΔＧｒの分だけバイパス弁２２の開度を変更させる制御を行うことにより、吐出冷媒の温度を抑えつつ、過冷却を促進して空気調和機の性能向上を図ることができる。
【００４４】
加えて、バイパス経路２１へと迂回した高圧冷媒を減圧部１５１よりも上流へと流入させているため、バイパスさせた高圧冷媒を圧縮機１４の前へと流入させる場合とは違って蒸発器１２への冷媒循環量が減少することもなく、蒸発器１２の熱交換性能を維持することができる。
【００４５】
本実施形態では、気液熱交換器２０による熱交換量の効果の大きさの現在と将来の比（Δｈ´／Δｈ）に基づいて、気液熱交換器２０を流れる冷媒とバイパス経路２１を流れる冷媒との流量の比を変更することにより、圧縮機１４の適度な応答を得て、吐出冷媒の温度を目標温度Ｔｖに早期に安定させることができる。
【００４６】
図４に示す一点鎖線は、吐出冷媒の温度が圧縮機に許容される温度Ｔｖを超過したためバイパス弁２２によりバイパス流量を一度に下げた場合を示している。この場合、吐出冷媒の温度が過度に応答してオーバーシュートやハンチングが生じ易い。
図４に示す破線は、吐出冷媒の温度が圧縮機１４に許容される温度Ｔｖを超過した際に、バイパス弁２２によりバイパス流量を徐々に下げた場合を示している。この場合、バイパス流量が不足して吐出温度を許容温度Ｔｖに下げることができない可能性がある。
本実施形態の制御によれば、図４に太い実線で示すように、ΔＧｒの変更に伴う気液熱交換の効果の大きさの変化に対して吐出冷媒の温度が適度に追従するので、吐出冷媒の温度が目標温度Ｔｖに早期に安定する。バイパスさせた冷媒を圧縮機１４から離れている減圧部１５１の上流へと流入させているため、吐出冷媒の温度が過敏に応答するのを避けられることも、吐出温度の安定に寄与する。
【００４７】
本実施形態のバイパス弁２２に代えて、図５に示すように、バイパス経路２１へと流入する冷媒の流量を調整可能な流量調整部２３を用いることもできる。
冷房運転時に機能する図５の右側の流量調整部２３および制御部２５と、暖房運転時に機能する図５の左側の流量調整部２３および制御部２５とが切り替えて用いられる。
流量調整部２３は、必要によっては、凝縮器１１を通過して気液熱交換器２０へと向かう高圧冷媒の全量をバイパス経路２１へと流入させることが可能である。高圧冷媒の全量がバイパス経路２１へ流入すれば、高圧冷媒が気液熱交換器２０を全く流れないため、高圧冷媒から低圧冷媒へと放熱させないで、低圧冷媒が吸入される圧縮機１４の温度を抑えることができる。
流量調整部２３を用いる場合であっても、上記実施形態と同様の方法でエンタルピ差Δｈ´を制御部２５により算出し、現在のΔｈ´／Δｈ倍のバイパス流量に対応する指令を流量調整部２３に与えることにより、上記実施形態と同様の効果を得ることができる。
【００４８】
上記以外にも、本発明の主旨を逸脱しない限り、上記実施形態で挙げた構成を取捨選択したり、他の構成に適宜変更することが可能である。
【００４９】
本発明の冷媒回路システムは、冷房運転専用あるいは暖房運転専用のシステムとして構成することもできる。その場合は、四方弁１３が必要なく、減圧部１５は一つで足りる。また、凝縮器温度センサも、２つの熱交換器１１，１２のうち凝縮器として機能する一方にのみ用意すれば足りる。
【００５０】
本発明の冷媒回路システムは、空気調和機の他、冷凍庫や給湯器等、冷凍サイクルを利用する適宜な機器に適用することができる。
【符号の説明】
【００５１】
１        冷媒回路システム
１１      室外熱交換器（凝縮器／蒸発器）
１１Ａ    凝縮器温度センサ
１２      室内熱交換器（蒸発器／凝縮器）
１２Ａ    温度センサ
１３      四方弁
１４      圧縮機
１４Ａ    吐出温度センサ
１５      減圧部
１５１    減圧部（冷房時減圧部）
１５２    減圧部（暖房時減圧部）
２０      気液熱交換器
２０Ａ，２０Ｂ      温度センサ
２１      バイパス経路
２２      バイパス弁（流量調整部）
２３      流量調整部
２５      制御部
２０１    高圧経路
２０２    低圧経路
Ｔｄ      温度
ΔＧｒ    増減倍率
【図１】
2018096621.tif 000003
【図２】
2018096621.tif 000004
【図３】
2018096621.tif 000005
【図４】
2018096621.tif 000006
【図５】
2018096621.tif 000007